(57)【要約】【課題】小型化できるプロジェクターを提供する。【解決手段】プロジェクターは、光源装置と、光源装置から出射された複数の色光をそれぞれ変調する複数の光変調装置（液晶パネル４５３）と、複数の光変調装置により変調された複数の色光を合成し、合成された合成光を光出射面から出射する色合成装置と、色合成装置により合成された光が入射される光入射部を有し、当該光入射部から入射された光を投射する投射光学装置と、光出射面及び光入射部の間で、かつ、光出射面から光入射部に向かう合成光の光路の外側の位置に配置され、入射される光を遮蔽するシート部材（遮光シート８）と、を備える。【選択図】図４
2015184547.tif 000002
【特許請求の範囲】
【請求項１】
光源装置と、
前記光源装置から出射された複数の色光をそれぞれ変調する複数の光変調装置と、
前記複数の光変調装置により変調された前記複数の色光を合成し、合成された合成光を光出射面から出射する色合成装置と、
前記色合成装置により合成された光が入射される光入射部を有し、当該光入射部から入射された光を投射する投射光学装置と、
前記光出射面及び前記光入射部の間で、かつ、前記光出射面から前記光入射部に向かう前記合成光の光路の外側の位置に配置され、入射される光を遮蔽するシート部材と、を備えることを特徴とするプロジェクター。
【請求項２】
請求項１に記載のプロジェクターにおいて、
前記投射光学装置の中心軸に対する直交方向に前記投射光学装置を移動させる移動装置を備え、
前記シート部材は、前記移動装置によって移動される前記投射光学装置の前記光入射部の移動範囲に応じて設けられていることを特徴とするプロジェクター。
【請求項３】
請求項１又は請求項２に記載のプロジェクターにおいて、
前記シート部材は、前記光出射面から出射される前記合成光の光路を囲むように前記色合成装置に取り付けられていることを特徴とするプロジェクター。
【請求項４】
請求項３に記載のプロジェクターにおいて、
前記シート部材は、前記光入射部に向かうに従って前記光入射部の外側に広がるように傾斜して延出し、前記光入射部の縁部に当接する傾斜部を有することを特徴とするプロジェクター。
【請求項５】
請求項４に記載のプロジェクターにおいて、
前記傾斜部は、前記縁部からの押圧力により弾性変形することを特徴とするプロジェクター。
【請求項６】
請求項３から請求項５のいずれか１項に記載のプロジェクターにおいて、
前記色合成装置に取り付けられ、前記シート部材を保持する金属部材を備えることを特徴とするプロジェクター。
【請求項７】
請求項６に記載のプロジェクターにおいて、
前記金属部材は、当該金属部材に対して前記シート部材を位置決めする位置決め部を有することを特徴とするプロジェクター。
【請求項８】
請求項７に記載のプロジェクターにおいて、
前記金属部材は、前記合成光の進行方向に対して交差し、前記シート部材が取り付けられる取付部を有し、
前記位置決め部は、
前記取付部の前記進行方向に直交する第１方向の両端側に設けられ、前記シート部材の端部と当接する一対の当接部と、
前記取付部に設けられ、前記進行方向及び前記第１方向のそれぞれに対する第２方向に長径を有する開口部と、を有し、
前記シート部材は、前記第２方向における寸法が前記長径と略同じであり、前記開口部に挿入される挿入部を有することを特徴とするプロジェクター。
【請求項９】
請求項６から請求項８のいずれか１項に記載のプロジェクターにおいて、
前記金属部材は、前記光出射面と前記光入射部との間で、かつ、前記合成光の光路上に配置される光学素子を保持する保持部を有することを特徴とするプロジェクター。
【発明の詳細な説明】
【技術分野】
【０００１】
本発明は、プロジェクターに関する。
【背景技術】
【０００２】
従来、光源装置と、当該光源装置から出射された三色の色光をそれぞれ変調する光変調装置である複数の液晶パネルと、変調された各色光を合成する色合成装置としてのクロスダイクロイックプリズムと、合成された光を投射する投射光学装置としての投射レンズと、を備えたプロジェクターが知られている（例えば、特許文献１参照）。
この特許文献１に記載されるプロジェクターは、クロスダイクロイックプリズムと、当該クロスダイクロイックプリズムの側方に配置された液晶パネルとの間を通過する光が投射レンズに入り込むのを防止する遮光部材を備える。この遮光部材は、薄板状の金属を折曲加工して形成され金属板であり、投射レンズとクロスダイクロイックプリズムとの間に配置される。
【先行技術文献】
【特許文献】
【０００３】
【特許文献１】特開２００１−１５４２６４号公報
【発明の概要】
【発明が解決しようとする課題】
【０００４】
近年、プロジェクターの小型化の要望に対して、プロジェクターの内部に光学部品を密に配置することが提案されている。しかしながら、上記特許文献１に記載の遮光部材は金属製部材であることから、落下等の衝撃により遮光部材と投射光学装置とが接触しないようなクリアランスを確保する必要があり、プロジェクターの小型化が阻害されるという問題があった。
【０００５】
本発明は、小型化できるプロジェクターを提供することを目的の一つとする。
【課題を解決するための手段】
【０００６】
本発明の一態様に係るプロジェクターは、光源装置と、前記光源装置から出射された複数の色光をそれぞれ変調する複数の光変調装置と、前記複数の光変調装置により変調された前記複数の色光を合成し、合成された合成光を光出射面から出射する色合成装置と、前記色合成装置により合成された光が入射される光入射部を有し、当該光入射部から入射された光を投射する投射光学装置と、前記光出射面及び前記光入射部の間で、かつ、前記光出射面から前記光入射部に向かう前記合成光の光路の外側の位置に配置され、入射される光を遮蔽するシート部材と、を備えることを特徴とする。
【０００７】
上記一態様によれば、光出射面及び光入射部の間で、かつ、光出射面から光入射部に向かう合成光の光路の外側の位置に配置されたシート部材により、当該外側の位置を通る光、すなわち、合成光とは異なる光を遮蔽できる。従って、合成光とは異なる光が投射光学装置により投射されることを抑制できる。
また、このようなシート部材を投射光学装置に対する遮光部材として用いることで、落下等の衝撃によりシート部材が投射光学装置に接触した際に、シート部材を変形させることができる。これにより、シート部材が投射光学装置に接触したとしても、当該投射光学装置が傷付くことを抑制できる。従って、遮光部材を金属で形成した場合に設ける必要があった上記クリアランスを小さくすることができるので、プロジェクターの小型化を図ることができる。
【０００８】
上記一態様では、前記投射光学装置の中心軸に対する直交方向に前記投射光学装置を移動させる移動装置を備え、前記シート部材は、前記移動装置によって移動される前記投射光学装置の前記光入射部の移動範囲に応じて設けられていることが好ましい。
上記一態様によれば、シート部材が、移動装置により前記直交方向に移動される投射光学装置における光入射部の移動範囲に応じて設けられている。これにより、当該直交方向に投射光学装置が移動された場合でも、合成光の光路の外側から光入射部に向かう光をシート部材により確実に遮蔽できる。
【０００９】
上記一態様では、前記シート部材は、前記光出射面から出射される前記合成光の光路を囲むように前記色合成装置に取り付けられていることが好ましい。
上記一態様によれば、合成光を遮蔽することなく、合成光の光路の外側から光入射部に向かう光をシート部材により確実に遮蔽できる。また、当該シート部材が色合成装置に取り付けられることから、合成光の光路に対するシート部材の配置を容易に実施できる。
【００１０】
上記一態様では、前記シート部材は、前記光入射部に向かうに従って前記光入射部の外側に広がるように傾斜して延出し、前記光入射部の縁部に当接する傾斜部を有することが好ましい。
上記一態様によれば、光入射部の縁部における少なくとも一部を傾斜部により覆うことができる。従って、合成光の光路の外側から光入射部に入射される光をより確実に遮蔽できる。
【００１１】
上記一態様では、前記傾斜部は、前記縁部からの押圧力により弾性変形することが好ましい。
上記一態様によれば、傾斜部は、光入射部の縁部からの押圧力により弾性変形する。このような構成では、傾斜部は、縁部に当接して当該縁部から上記押圧力を受けることにより弾性変形する。変形した傾斜部には復元力が発生するため、当該復元力によって傾斜部を光入射部に当接させた状態を維持できる。上記移動装置が設けられ、投射光学装置が移動される場合には、特に有効である。
【００１２】
上記一態様では、前記色合成装置に取り付けられ、前記シート部材を保持する金属部材を備えることが好ましい。
ここで、シート部材は、上記合成光とは異なる光が入射されるため、温度が高くなりやすい。
これに対し、上記一態様によれば、シート部材は、色合成装置に取り付けられる金属部材に保持される。これによれば、シート部材で生じた熱を金属部材に伝導させて放熱させることができるので、当該シート部材の温度上昇を抑制できる。従って、色合成装置にシート部材を直接設ける場合と比べて、シート部材として耐熱性が低い材料を用いることができ、シート部材を形成する材料の選択範囲を広げることができる。
また、シート部材を金属部材に取り付けた状態で、当該金属部材を色合成装置及び投射光学装置の間の所定の設置位置に設置することができるので、シート部材の取り扱いが容易となる。
【００１３】
上記一態様では、前記金属部材は、当該金属部材に対して前記シート部材を位置決めする位置決め部を有することが好ましい。
上記一態様によれば、金属部材が取り付けられた光合成装置に対するシート部材の位置決め精度を向上させることができる。従って、合成光の光路の外側に、シート部材を確実に配置できる。
【００１４】
上記一態様では、前記金属部材は、前記合成光の進行方向に対して交差し、前記シート部材が取り付けられる取付部を有し、前記位置決め部は、前記取付部の前記進行方向に直交する第１方向の両端側に設けられ、前記シート部材の端部と当接する一対の当接部と、前記取付部に設けられ、前記進行方向及び前記第１方向のそれぞれに対する第２方向に長径を有する開口部と、を有し、前記シート部材は、前記第２方向における寸法が前記長径と略同じであり、前記開口部に挿入される挿入部を有することが好ましい。
上記一態様によれば、金属部材の一対の当接部により、上記第１方向において、金属部材に対してシート部材を位置決めできる。また、金属部材の開口部により、シート部材の挿入部を挿入することにより、上記第２方向において、金属部材に対してシート部材を位置決めできる。これにより、合成光の進行方向に直交する２方向において、シート部材を金属部材に対して位置決めできる。従って、シート部材を適切な位置に配置できる。また、開口部に挿入部を挿入することにより、シート部材を金属部材に取り付けられた状態を維持できるので、取付を容易に実施できる。
【００１５】
上記一態様では、前記金属部材は、前記光出射面と前記光入射部との間で、かつ、前記合成光の光路上に配置される光学素子を保持する保持部を有することが好ましい。
上記一態様によれば、金属部材は、合成光の光路上において光学素子を保持することができる。
【図面の簡単な説明】
【００１６】
【図１】本発明の一実施形態に係るプロジェクターの外観構成を示す斜視図。
【図２】上記実施形態におけるプロジェクターの内部構成を示す模式図。
【図３】上記実施形態における投射位置調整装置及び電気光学装置を示す斜視図。
【図４】上記実施形態における電気光学装置及び遮光部材を示す斜視図。
【図５】上記実施形態における遮光板を示す斜視図。
【図６】上記実施形態におけるカラーセレクトフィルター及び遮光板を示す斜視図。
【図７】上記実施形態における遮光シートを示す斜視図。
【図８】上記実施形態における遮光シートを示す下面図。
【図９】上記実施形態における電気光学装置及び遮光部材を示す正面図。
【発明を実施するための形態】
【００１７】
以下、本発明の実施の一形態を図面に基づいて説明する。
［プロジェクターの外観構成］
図１は、本実施形態に係るプロジェクター１の外観を示す斜視図である。具体的に、図１は、設置台等に設置されたプロジェクター１を正面側上方から見た斜視図である。
本実施形態に係るプロジェクター１は、光源から射出された光束を画像情報に応じて変調して画像光を形成し、形成した画像光をスクリーン等の被投射面（図示省略）上に拡大投射する。このプロジェクター１は、図１に示すように、外装を構成する外装筐体２を備える。
【００１８】
外装筐体２は、金属又は合成樹脂製の筐体であり、プロジェクター１の装置本体１０（図２参照）を収納する。この外装筐体２は、アッパーケース２１及びロアーケース２２が組み合わされて構成されている。これらのうち、アッパーケース２１は、外装筐体２における天面部２Ａと、正面部２Ｃ、背面部２Ｄ及び左右の側面部２Ｅ，２Ｆの一部とを構成し、ロアーケース２２は、外装筐体２における底面部２Ｂと、正面部２Ｃ、背面部２Ｄ及び左右の側面部２Ｅ，２Ｆの一部とをそれぞれ構成する。
【００１９】
正面部２Ｃは、後述する投射レンズ３の一部を露出させる開口部２Ｃ１を有する。
天面部２Ａは、後述する投射位置調整装置５を構成する第１のダイヤル５１１及び第２のダイヤル５１２を露出させる開口部２Ａ１，２Ａ２を有する。これらダイヤル５１１，５２１が使用者により回転操作されると、投射レンズ３が上下方向（天面部２Ａと底面部２Ｂとを結ぶ方向）及び左右方向（左側面部２Ｅと右側面部２Ｆとを結ぶ方向）に移動し、これにより、被投射面上の画像の投射位置が調整される。このような投射位置調整装置５の構造については、後に詳述する。
【００２０】
［内部構成］
図２は、プロジェクター１の内部構成を示す模式図である。
外装筐体２の内部には、図２に示す装置本体１０が収納されている。この装置本体１０は、本発明の投射光学装置に相当する投射レンズ３と、光学ユニット４と、本発明の移動装置に相当する投射位置調整装置５と、を備える。この他、図示を省略するが、装置本体１０は、プロジェクター１の冷却対象を冷却する冷却装置、プロジェクター１の各構成部品に電力を供給する電源装置、及び、プロジェクター１の動作を制御する制御装置を備える。
【００２１】
［投射レンズの構成］
投射レンズ３は、図１に示すように、外装筐体２の正面部２Ｃから先端が露出し、光学ユニット４にて形成され、光入射部３２（図３参照）から入射された画像光を上記被投射面上に拡大投射する投射光学装置である。
この投射レンズ３は、鏡筒３１内に複数のレンズが収納された組レンズとして構成されており、後述する投射位置調整装置５に支持される。
【００２２】
［光学ユニットの構成］
光学ユニット４は、上記制御装置による制御の下、光源から出射された光束を光学的に処理して画像情報に対応した画像光を形成する。この光学ユニット４は、図２に示すように、光源装置４１と、照明光学装置４２と、色分離光学装置４３と、リレー光学装置４４と、電気光学装置４５と、これら光源装置４１及び各光学装置４２〜４５を収納する光学部品用筐体４６とを備える。
これらのうち、光学部品用筐体４６は、それぞれ合成樹脂又は金属により形成された部品収納部材４６１及び蓋状部材（図示省略）が組み合わされて構成される筐体である。
部品収納部材４６１は、各装置４１〜４４、並びに、電気光学装置４５のフィールドレンズ４５１及び入射側偏光板４５２を内部に収納する。この部品収納部材４６１内に当該光学部品を収納するための開口部は、蓋状部材により閉塞される。
【００２３】
光源装置４１は、光源ランプ４１１及びリフレクタ４１２等を備える。この光源装置４１は、光源ランプ４１１から出射された光の出射方向をリフレクタ４１２によって揃えた上で、当該光を照明光学装置４２に向けて出射する。
【００２４】
照明光学装置４２は、光源装置４１から入射される光の中心軸に対する直交面内の照度を均一化する。この照明光学装置４２は、第１レンズアレイ４２１、第２レンズアレイ４２２、偏光変換素子４２３、及び重畳レンズ４２４を備える。
第１レンズアレイ４２１は、入射される光束を複数の部分光束に分割し、第２レンズアレイ４２２は、第１レンズアレイ４２１から入射される複数の部分光束のそれぞれを、重畳レンズ４２４とともに後述する液晶パネル４５３に重畳させる。
偏光変換素子４２３は、入射される光の偏光方向を一種類に揃える。
【００２５】
色分離光学装置４３は、ダイクロイックミラー４３１，４３２及び反射ミラー４３３を備え、これらにより照明光学装置４２から入射される光束を、赤（Ｒ）、緑（Ｇ）及び青（Ｂ）の３つの色光に分離する。
リレー光学装置４４は、入射側レンズ４４１、リレーレンズ４４３及び反射ミラー４４２，４４４を備え、色分離光学装置４３で分離された赤色光を赤色光用のフィールドレンズ４５１に導く機能を有する。
【００２６】
電気光学装置４５は、入射される各色光をそれぞれ変調して、上記制御装置から入力される画像情報に応じた画像を形成する。この電気光学装置４５は、それぞれ上記色光毎に設けられるフィールドレンズ４５１、入射側偏光板４５２、光変調装置としての液晶パネル４５３（赤、緑及び青用の液晶パネルを、それぞれ４５３Ｒ，４５３Ｇ，４５３Ｂとする）及び出射側偏光板４５４と、１つの色合成装置４５５と、保持部材４７と、当該色合成装置４５５を支持して投射位置調整装置５に固定するプリズムベース４５６と、遮光部材６とを備える。これらのうち、液晶パネル４５３と、色合成装置４５５と、保持部材４７と、プリズムベース４５６とは、一体化されている。
色合成装置４５５は、本実施形態では、４つの直角プリズムを貼り合わせた平面視略正方形状をなすクロスダイクロイックプリズムである。この色合成装置４５５は、各直角プリズムの界面に形成された２つの誘電体多層膜により、それぞれ対応する液晶パネル４５３により変調された各色光を合成する。このような色合成装置４５５により合成された光（画像を形成する光）は、投射レンズ３に対向する光出射面４５５Ａを介して、当該投射レンズ３に入射される。
【００２７】
図３は、投射レンズ３を保持する投射位置調整装置５に電気光学装置４５が取り付けられている状態を示す斜視図である。
以下の説明では、Ｚ方向は、色合成装置４５５から投射レンズ３に入射される光の進行方向を示し、Ｘ方向及びＹ方向は、当該Ｚ方向に直交するとともに互いに直交する方向を示す。本実施形態では、プロジェクター１が所定の設置面に載置されて、Ｚ方向が水平方向に沿う場合に、Ｙ方向は、鉛直方向に沿って下から上に向かう方向（底面部２Ｂから天面部２Ａに向かう方向）とし、Ｘ方向は、Ｚ方向に沿って見た場合に水平方向に沿って左から右に向かう方向（右側面部２Ｆから左側面部２Ｅに向かう方向）とする。更に、Ｚ方向側とは、Ｚ方向における下流側（Ｚ方向先端側）を指し、Ｚ方向とは反対側とは、Ｚ方向における上流側（Ｚ方向基端側）を指す。他の方向も同様である。
上記電気光学装置４５において、各液晶パネル４５３及び各出射側偏光板４５４は、保持部材４７により、対応する色合成装置４５５の光入射面に対向配置される。
【００２８】
具体的に、図３に示すように、赤色用の液晶パネル４５３Ｒ及び出射側偏光板４５４（図２参照）は、色合成装置４５５において赤色光が入射される光入射面４５５Ｒ（図２参照）に取り付けられる保持部材４７Ｒにより、当該光入射面４５５Ｒに対向配置される。また、緑色用の液晶パネル４５３Ｇ及び出射側偏光板４５４は、色合成装置４５５において緑色光が入射される光入射面４５５Ｇ（図２参照）に取り付けられる保持部材４７Ｇにより、当該光入射面４５５Ｇに対向配置される。更に、図３では図示を省略したが、青色用の液晶パネル４５３Ｂ及び出射側偏光板４５４は、色合成装置４５５において青色光が入射される光入射面４５５Ｂ（図２参照）に取り付けられる保持部材４７Ｂ（図４参照）により、当該光入射面４５５Ｂに対向配置される。
このような保持部材４７は、例えば、液晶パネル４５３Ｒ、出射側偏光板４５４及び光入射面４５５Ｒのそれぞれの間に、これら液晶パネル４５３Ｒ及び出射側偏光板４５４を冷却する冷却空気が流通する流路が形成されている。すなわち、液晶パネル４５３Ｒ、出射側偏光板４５４及び光入射面４５５Ｒは、それぞれ互いに所定の間隔を隔てて配置される。他の液晶パネル４５３Ｇ，４５３Ｂ等も同様である。
【００２９】
プリズムベース４５６は、上記保持部材４７により各液晶パネル４５３及び出射側偏光板４５４が取り付けられた色合成装置４５５を、投射位置調整装置５に固定する。具体的に、プリズムベース４５６は、側面視略Ｌ字状に形成されており、一端が、色合成装置４５５において各光入射面４５５Ｒ，４５５Ｇ，４５５Ｂ及び光出射面４５５Ａに交差する一対の端面のうちの一方（Ｙ方向側の端面）に接着剤等により固定され、他端が投射位置調整装置５の支持部材５２に固定される。このようなプリズムベース４５６により、光出射面４５５Ａと、投射レンズ３における光入射側の端部とが互いに対向するように、色合成装置４５５が配置される。
【００３０】
遮光部材６は、図２に示すように、色合成装置４５５の光出射面４５５Ａと投射レンズ３との間に設けられ、当該色合成装置４５５により合成された合成光（画像を形成する光）以外の不要な光を遮蔽して、当該不要な光が投射レンズ３に入射されることを抑制する。この遮光部材６については、後に詳述する。
【００３１】
［投射位置調整装置の構成］
投射位置調整装置５は、投射レンズ３の中心軸に対する直交方向に当該投射レンズ３を移動させることで当該投射レンズ３による投射位置を調整する。
このような投射位置調整装置５は、図３に示すように、第１のダイヤル５１１及び第２のダイヤル５１２を有する駆動装置５１と、当該駆動装置５１を支持する支持部材５２とを備える。この他、図示を省略するが、投射位置調整装置５は、支持部材５２により、Ｘ方向に沿って摺動可能に支持される第１移動部材と、Ｙ方向に沿って摺動可能に支持される第２移動部材と、を備え、これら第１移動部材及び第２移動部材のいずれかにより、投射レンズ３の鏡筒３１が保持される。
そして、第１のダイヤル５１１が利用者により回転操作されると、第１移動部材及び投射レンズ３が、Ｘ方向、又は、当該Ｘ方向とは反対方向に移動する。これにより、投射レンズ３による画像の投射位置が、Ｘ方向において調整される。
また、第２のダイヤル５１２が利用者により回転操作されると、第２移動部材及び投射レンズ３が、Ｙ方向、又は、当該Ｙ方向とは反対方向に移動する。これにより、投射レンズ３による画像の投射位置が、Ｙ方向において調整される。
【００３２】
［遮光部材の構成］
図４は、電気光学装置４５に取り付けられた遮光部材６を示す斜視図である。
遮光部材６は、上記のように、色合成装置４５５と投射位置調整装置５との間に配置される。この遮光部材６は、液晶パネル４５３Ｂ、出射側偏光板４５４及び光入射面４５５Ｂのそれぞれの間、並びに、液晶パネル４５３Ｒ、出射側偏光板４５４及び光入射面４５５Ｒのそれぞれの間を通過する緑色光を遮蔽して、当該緑色光が投射レンズ３に入射されることを抑制する。
このような遮光部材６は、図４に示すように、色合成装置４５５に固定される遮光板７と、当該遮光板７に取り付けられ、投射レンズ３の光入射側の端部に接触する遮光シート８と、を備える。
なお、図４に示すように、遮光板７は、色合成装置４５５の出射光の光路上にカラーセレクトフィルター９を保持している。このカラーセレクトフィルター９は、矩形状の光学部材であり、緑色に分類される波長域の光の偏光状態を９０°回転させる（例えばＰ偏光をＳ偏光に変換する）ものである。
【００３３】
［遮光板の構成］
図５は、遮光板７をＺ方向とは反対側から見た斜視図である。
遮光板７は、本発明の金属部材に相当し、図２に示すように光出射面４５５Ａに沿って配置され、遮光シート８を保持する。この遮光板７は、金属により形成された板状部材であり、図５に示すように、光出射面４５５Ａから出射される光の進行方向に交差し、色合成装置４５５に取り付けられる取付部７１と、遮光シート８を位置決めする位置決め部７２と、カラーセレクトフィルター９を保持する保持部７３とを備える。
取付部７１は、図５に示すように、色合成装置４５５からの出射光を通過させる開口部７１１を有する枠状に形成されている。
【００３４】
位置決め部７２は、色合成装置４５５からの出射光に直交する面内（すなわちＸＹ平面内）において遮光シート８を位置決めする。この位置決め部７２は、遮光シート８をＹ方向に挟持し位置決めする４つの鉤状部７２１と、遮光シート８の後述する挿入部８２が挿入され、遮光シート８をＸ方向に位置決めする開口部７２２とを有する。なお、４つの鉤状部７２１は、本発明の当接部に相当し、当該４つの鉤状部７２１のうちの一対の鉤状部７２１は、遮光板７のＹ方向（本発明の第１方向に相当）の両端に対向して設けられる。また、他の一対の鉤状部７２１も同様に、遮光板７のＹ方向の両端に対向して設けられる。また、これら２組の鉤状部７２１は、Ｘ方向に離間して設けられる。これら４つの鉤状部７２１は、Ｙ方向の両側から遮光シート８を挟むことにより、Ｙ方向に遮光シート８を位置決めする。また、開口部７２２は、Ｘ方向（本発明の第２方向に相当）に長径を有し、後述するが、Ｘ方向の両端で挿入部８２に当接して、遮光シート８を位置決めする。
【００３５】
図６は、カラーセレクトフィルター９が配置された遮光板７を示す斜視図である。
保持部７３は、図５及び図６に示すように、光出射面４５５Ａと光入射部３２との間で、かつ、色合成装置４５５の光路上にカラーセレクトフィルター９を保持する。この保持部７３は、カラーセレクトフィルター９をＹ方向に位置決めする突出部７３１と、Ｘ方向に沿った方向の位置決めを行う折曲部７３２とを備える。
【００３６】
突出部７３１は、図５に示すように、開口部７１１に対してＹ方向とは反対側（開口部７２２に対してＹ方向側）の位置に、Ｘ方向において離間して１対設けられ、それぞれＺ方向に突出する。これら１対の突出部７３１は、図６に示すように、カラーセレクトフィルター９のＹ方向とは逆側の端部に当接し、カラーセレクトフィルター９のＹ方向に沿った方向の位置決めを行う。
【００３７】
折曲部７３２は、図５に示すように、Ｘ方向に対向して一対設けられ、遮光板７のＹ方向に沿う各辺からＺ方向に立ち上がった後、Ｙ方向における外側に向かって折曲される。これら１対の折曲部７３２は、図６に示すように、カラーセレクトフィルター９をＹ方向の両側から挟むことにより、カラーセレクトフィルター９のＸ方向に沿った方向の位置決めを行う。なお、折曲部７３２は、色合成装置４５５の青色光が入射される光入射面４５５Ｂ及び赤色光が入射される光入射面４５５Ｒに沿ってＺ方向に進む光の一部を遮光する。
【００３８】
［遮光シートの構成］
図７は、遮光シート８をＺ方向と反対側から見た斜視図である。また、図８は、遮光シート８をＹ方向の逆側、すなわち下方から見た下面図である。
遮光シート８は、図４に示すように、遮光板７の光出射面４５５Ａとは反対側の面に沿った位置に保持され、電気光学装置４５からの漏れ光のうち、投射レンズ３に向かう光を遮光する。なお、電気光学装置４５からの漏れ光とは、例えば、光入射面４５５Ｂ及び赤色光が入射される光入射面４５５Ｒに沿ってＺ方向に向かう緑色光である。また、液晶パネル４５３と各偏光板４５２，４５４との間から漏れる迷光である。
【００３９】
このような遮光シート８は、可撓性材料により略八角形状に形成されたシート状の軟性部材であり、色合成装置４５５からの出射光（合成光）を通過させる開口部８１を略中央に有し（図７参照）、当該出射光の周囲を囲むように配置される。また、遮光シート８は、当該開口部８１に対してＹ方向側及びＹ方向とは反対側に位置する挿入部８２と、当該開口部８１に対してＸ方向側及びＸ方向とは反対側に位置する一対の遮光部８３と、を有する。
【００４０】
挿入部８２は、遮光板７に対してＸ方向の位置決めを行う。この挿入部８２は、図７に示すように、遮光板７の開口部７２２に対応する位置に設けられ、Ｚ方向とは反対側に向かって突出する。挿入部８２のＸ方向における寸法は、開口部７２２のＸ方向に沿った方向に設けられた開口寸法と一致する。この挿入部８２は、開口部７２２に挿入される（図４参照）。この際、挿入部８２のＸ方向の両端が、開口部７２２のＸ方向の両側の内縁部に当接することにより、Ｘ方向に沿った方向において遮光シート８が遮光板７に対して位置決めされる。
【００４１】
遮光部８３は、本発明の傾斜部に相当し、図３に示すように、投射レンズ３のＺ方向とは反対側の光入射部３２の縁部３Ａ（図３の破線で示す）に当接した状態で配置され、入射される光を遮蔽する。この遮光部８３は、図７及び図８に示すように、遮光シート８のＸ方向の両側に設けられ、Ｘ方向において遮光シート８の内側から外側に向かうに従って（すなわち基端８３１側から先端８３２側に向かうに従って）Ｚ方向に傾斜している。換言すると、遮光部８３は、光入射部３２に向かうに従って当該光入射部３２の外側に広がるように傾斜して延出している。なお、本実施形態では、遮光部８３は、傾斜角度（基端８３１におけるＺ方向側の角度）は１５０°に設定されている構成を例示するが、これに限定されない。当該傾斜角度は、遮光シート８が所望の遮光性能を得るために、投射レンズ３の光入射部３２の縁部３Ａの形状や、移動範囲等に応じて適宜設定すればよい。
【００４２】
図９は、電気光学装置４５に取り付けられた遮光部材６をＺ方向とは反対方向に沿って見た際の正面図である。図９では、投射レンズ３の移動範囲Ａｒを二点鎖線で示す。
遮光部８３は、上述のように、縁部３Ａ（図３の破線で示す）に当接し、縁部３Ａに押圧力を作用させた状態で配置される。この際、遮光部８３は、当該縁部３ＡにＺ方向とは反対方向に押圧されており、先端８３２側がＺ方向とは反対方向に移動するように変形される。投射レンズ３が移動範囲Ａｒ内で移動すると、投射レンズ３の縁部３Ａの位置に応じて、遮光部８３が当該縁部３Ａに当接した状態が維持されるように、遮光シート８が変形し、遮光部８３における縁部３Ａとの当接位置が変化する。
【００４３】
なお、遮光シート８のＸ方向の寸法は、この投射レンズ３の縁部３Ａの移動範囲Ａｒに応じて設定され、当該移動範囲Ａｒよりも大きい値に設定されている。これにより、投射レンズ３のＸ方向の位置に関わらず、当該Ｘ方向と直交する光入射面４５５Ｒ，４５５Ｂに沿ってＺ方向に向かう緑色光を遮光することができる。
また、遮光部８３は、上述のように投射レンズ３の位置に応じて縁部３Ａとの当接位置が変化しても、投射レンズ３に接触した状態が維持されるように、基端８３１における傾斜角度の初期値が設定される。
【００４４】
［実施形態の効果］
以上説明した本実施形態に係るプロジェクター１によれば、以下の効果がある。
シート部材としての遮光シート８は、色合成装置４５５の光出射面４５５Ａ及び投射レンズ３の間で、かつ、光出射面４５５Ａから投射レンズ３の光入射部３２に向かう合成光の光路の外側の位置に配置されている。この遮光シート８により、当該外側の位置を通る光、すなわち、合成光とは異なる光を遮蔽できる。従って、合成光とは異なる光が投射レンズ３により投射されることを抑制できる。
ここで、遮光部材を全て金属で形成した場合、遮光部材が投射レンズ３へ接触することを防ぐためにクリアランスを設ける必要がある。これに対して、本実施形態では、遮光シート８を投射レンズ３の光入射部３２に向かう漏れ光を遮光する遮光部材として用いることにより、落下等の衝撃により遮光シート８が投射光学装置に接触した際に、遮光シート８を変形させることができる。これにより、遮光シート８が投射レンズ３に接触したとしても、当該接触の際の遮光シート８から投射レンズ３への衝撃を緩和することができ、投射レンズ３が傷付くことを抑制できる。従って、上記クリアランスを小さくすることができるので、プロジェクター１の小型化を図ることができる。また、例えば、遮光部材を金属で形成する場合と比べて、遮光部材を薄くすることができ、プロジェクター１の小型化を図ることができる。
【００４５】
遮光シート８は、投射レンズ３の中心軸に直交する方向（本実施形態ではＸＹ平面）における移動範囲に応じて設けられている。これにより、投射レンズ３が移動された場合でも、合成光の光路の外側から光入射部に向かう光を遮光シート８により確実に遮蔽できる。
【００４６】
遮光シート８は、光出射面４５５Ａから出射される合成光の光路を囲むように色合成装置４５５に、遮光板７を介して取り付けられている。これにより、色合成装置４５５から出射される光（合成光）を遮蔽することなく、当該合成光の光路の外側から光入射部３２に向かう光を遮蔽できる。また、当該遮光シート８が色合成装置４５５に取り付けられることから、合成光の光路に遮光シート８を容易に配置することができる。
【００４７】
遮光シート８は、合成光の進行方向（Ｚ方向）に向かうに従って、光入射部３２の外側に広がるように傾斜して延出し、光入射部３２の縁部３Ａに当接する傾斜部としての遮光部８３を有する。このような構成では、光入射部３２の周囲の少なくとも一部、本実施形態では全周が、遮光部８３によって覆われる。これにより、合成光の光路の外側から光入射部３２に向かう光をより確実に遮蔽できる。
【００４８】
また、この遮光部８３は、光入射部３２の縁部３Ａに当接しており、当該縁部３Ａからの押圧力により弾性変形している。このような構成では、変形した遮光部８３には復元力が発生するため、当該復元力によって遮光部８３を縁部３Ａに当接させた状態を維持することができる。なお、本実施形態のように、投射位置調整装置５が設けられ、投射レンズ３が移動される構成を採用した場合には特に有効である。
【００４９】
ここで、遮光シート８は、上記合成光とは異なる光が入射されるため、温度が高くなりやすい。
これに対して、本実施形態では、遮光シート８は金属部材としての遮光板７に保持される。これによれば、遮光シート８で生じた熱を遮光板７に伝導させて放熱させることができるので、当該遮光シート８の温度上昇を抑制できる。従って、色合成装置に遮光シート８を直接設ける場合と比べて、遮光シート８として耐熱性が低い材料を用いることができ、遮光シート８を形成する材料の選択範囲を広げることができる。
また、遮光シート８を遮光板７に取り付けた状態で、当該遮光板７を色合成装置４５５及び投射レンズ３の間の所定の設置位置に設置することができるので、遮光シート８の取り扱いが容易となる。
【００５０】
遮光板７は、位置決め部７２を有し、当該遮光板７に対して遮光シート８を位置決めすることにより、当該遮光板７が取り付けられた色合成装置４５５に対する遮光シート８の位置決め精度を向上させることができる。従って、合成光の光路の外側に、遮光シート８を確実に配置できる。
この位置決め部７２は、当接部としての４つの鉤状部７２１と、開口部７２２とを有する。一方、遮光シート８は、開口部７２２に挿入される挿入部８２を有する。鉤状部７２１が、Ｙ方向において、遮光板７に対して遮光シート８を位置決めする。また、遮光板７の開口部７２２に、遮光シート８の挿入部８２を挿入することにより、Ｘ方向において、遮光板７に対して遮光シート８を位置決めする。このように、合成光の進行方向に直交するＸＹ面内の２方向について、遮光シート８を遮光板７に対して位置決めできる。従って、遮光シート８を適切な位置に配置できる。また、開口部７２２に挿入部８２を挿入することにより、遮光シート８を遮光板７に取り付けられた状態を維持することができ、取付を容易に実施できる。
【００５１】
遮光板７は、光学素子としてのカラーセレクトフィルター９を、光出射面４５５Ａと光入射部３２との間で、かつ、色合成装置４５５からの出射光の光路上に保持する保持部７３を有する。これにより、カラーセレクトフィルター９を色合成装置４５５からの出射光の光路上に保持することができる。
また、保持部７３は、Ｚ方向に突出する突出部７３１を備える。これにより、カラーセレクトフィルター９をＹ方向に位置決めできる。また、保持部７３は、カラーセレクトフィルター９に、Ｘ方向の両端から当接する折曲部７３２を備える。これにより、カラーセレクトフィルター９をＸ方向に位置決めできる。
【００５２】
［実施形態の変形］
本発明は上記実施形態に限定されず、上記各実施形態を適宜組み合わせてもよく、本発明の目的を達成できる範囲での変形、改良等は本発明に含まれるものである。
上記実施形態では、移動装置としての投射位置調整装置５を備える構成を例示したが、本発明はこれに限定されず、投射位置調整装置５を備えない構成としてもよい。
【００５３】
上記実施形態では、遮光部材６が、金属部材としての遮光板７を介して遮光シート８が取り付けられる構成を例示したが、本発明はこれに限定されない。例えば、遮光板７を備えず、遮光シート８を色合成装置４５５に直接取り付ける構成としてもよい。
【００５４】
上記実施形態では、遮光シート８が、遮光部８３において投射レンズ３に接触する構成を例示したが、本発明はこれに限定されず、投射レンズ３に当接しない構成としてもよいし、投射レンズ３の位置に応じて当接する場合と当接しない場合が存在するような構成としてもよい。
上記実施形態では、遮光シート８が、光入射部３２の周囲を囲む構成を例示したが、本発明はこれに限定されない。例えば、遮光シート８が光入射部３２の周囲の一部に設けられた構成としてもよい。
【００５５】
上記実施形態では、遮光シート８は、Ｘ方向の両端からＺ方向に傾斜する遮光部８３を有する構成を例示したが、本発明はこれに限定されない。例えば、Ｙ方向の両端からも遮光部が設けられる構成としてもよい。また、Ｘ方向の両端及びＹ方向の両端の４か所のうちの１か所以上から遮光部が設けられる構成としてもよい。
上記実施形態では、遮光シート８が、Ｚ方向に傾斜する傾斜部としての遮光部８３を有する構成を例示したが、本発明はこれに限定されない。例えば、遮光シート８は、遮光部８３が傾斜しない平面形状でもよい。
【００５６】
上記実施形態では、位置決め部７２として、遮光シート８をＹ方向に挟持して、位置決めする鉤状部７２１と、Ｘ方向に位置決めするための開口部７２２とを有し、Ｘ方向及びＹ方向に位置決めする構成を例示したが、本発明はこれに限定されず、所定の位置に位置決め固定できる構成であればよい。例えば、遮光シート８をＺ方向に把持するクリップ機構等により遮光板７に対して固定する構成等、各種の構成を採用することができる。
なお、位置決め部７２を備えない構成としてもよい。
【００５７】
上記実施形態ではカラーセレクトフィルター９を位置決めし、保持する保持部７３として突出部７３１及び折曲部７３２を有する構成を例示したが、本発明はこれに限定されず、カラーセレクトフィルター９を遮光板７に対して位置決めできる構成であればよい。例えば、遮光板７にＹ方向（又はＸ方向）に沿ったガイド溝を設け、当該ガイド溝にカラーセレクトフィルター９の端部を嵌め込むことで位置決めする構成を採用してもよい。
上記実施形態では、光学素子はカラーセレクトフィルターを用いる構成を例示したが、本発明はこれに限定されない。例えば、各種カラーフィルター等の他の光学素子を用いてもよい。
【００５８】
上記実施形態では、１つの光源装置４１を備える構成を例示したが、本発明はこれに限らない。例えば、光源装置を２つ以上備える構成としてもよい。
上記実施形態では、プロジェクター１は、光変調装置として３つの液晶パネル４５３を備える構成としたが、本発明はこれに限らない。すなわち、２つ以下、あるいは、４つ以上の液晶パネルを光変調装置として備えるプロジェクターにも、本発明を適用可能である。
上記実施形態において、光学ユニット４は、図２に示した形状を有する構成としたが、これに限らず、例えば、平面視略Ｉ字形状や平面視略Ｕ字形状を有した構成を採用してもよい。
【００５９】
上記実施形態では、光入射面と光出射面とが異なる透過型液晶パネルを有する光変調装置を採用した。しかしながら、本発明はこれに限らず、光入射面と光出射面とが同一となる反射型液晶パネルを有する反射型光変調装置を採用してもよい。また、入射光束を変調して画像情報に応じた画像を形成可能な光変調装置であれば、マイクロミラー表示素子等を利用したものなど、液晶以外の光変調装置を用いてもよい。
また、上記実施形態では、フロント投射型のプロジェクターの例のみを挙げたが、本発明は、スクリーンを備え、該スクリーンの裏面側から投射を行うリアタイプのプロジェクターにも適用可能である。
【符号の説明】
【００６０】
１…プロジェクター、３…投射レンズ（投射光学装置）、３Ａ…縁部、５…投射位置調整装置（移動装置）、６…遮光部材、７…遮光板（金属部材）、８…遮光シート（シート部材）、９…カラーセレクトフィルター（光学素子）、３２…光入射部、４１…光源装置、７１…取付部、７２…位置決め部、７３…保持部、８２…挿入部、８３…遮光部（傾斜部）、４５３，４５３Ｒ，４５３Ｂ，４５３Ｇ…液晶パネル（光変調装置）、４５５…色合成装置、４５５Ａ…光出射面、７２１…鉤状部（当接部）、７２２…開口部、７３１…突出部、Ａｒ…移動範囲。
【図１】
2015184547.tif 000003
【図２】
2015184547.tif 000004
【図３】
2015184547.tif 000005
【図４】
2015184547.tif 000006
【図５】
2015184547.tif 000007
【図６】
2015184547.tif 000008
【図７】
2015184547.tif 000009
【図８】
2015184547.tif 000010
【図９】
2015184547.tif 000011